(57)【特許請求の範囲】
【請求項１】
有底筒状をなし一端が蚊取線香出し入れ用の開口部をなしている容器本体と、通気孔を有し前記容器本体の前記開口部に取り外し可能に取り付けられる蓋体と、共働して蚊取線香を挟持可能な一対の網体を有し前記容器本体内に収容可能な蚊取線香保持部材とを有し、前記容器本体の内周面に前記蚊取線香保持部材の周辺部分に当接して前記容器本体の内外にわたる前記蚊取線香保持部材の回転変位を許容する支点となる突出部を設けてあることを特徴とする蚊取線香容器
【請求項２】
前記容器本体の一周する内周面のうちの一部分を除く残余の部分にだけ前記蚊取線香保持部材の周辺部分に当接して前記蚊取線香保持部材を支持する支持部を設け、前記支持部の前記一部分寄りの端部が前記支点を構成し、前記一部分において前記蚊取線香保持部材の前記支持部によって支持されていない部分の前記底に向う回転変位と前記残余の部分において前記支持部によって支持されている部分の前記開口部に向う回転変化とを許容するように構成されていることを特徴とする請求項１記載の蚊取線香容器
【発明の詳細な説明】
【０００１】
【発明の属する技術分野】
この発明は、着火した渦巻き状の蚊取線香を保持して燻蒸させる吊り下げ式の蚊取線香容器に関するものである。
【０００２】
【従来の技術】
蚊取り線香を使用する場合に、着火した蚊取り線香を燻蒸可能に保持する蚊取り線香容器の一例として実公平２−６７９２号公報に記載されたものがある。この従来の蚊取線香容器は図９、図１０に示すように、皿状の容器本体１０２（受皿）と通気孔１１２のある蓋体１０３（目金蓋）とからなる容器の内部に２枚の耐熱性の網体１１４、１１５を入れ、２枚の網体１１４、１１５の間に着火した蚊取り線香を入れるように構成されたものである。
【０００３】
【発明が解決しようとする課題】
しかるにこの従来の蚊取線香容器では、蚊取線香使用後は、灰を捨てる目的や網体を洗浄するために、網体を容器から取り出す必要があり、そのために容器本体から目金蓋を取り外し、網体を取り出す操作が必要であるが、網体を手で摘み難いことがあるし、また網体が線香のやにでこびりつき取り外し難いことなどの問題がある。このため蚊取り線香使用後に網体を取り出すための機構も幾つか考えられたが、構造が複雑になったり、構成部品数が増加する結果になっている。この発明は上記のごとき事情に鑑みてなされたものであって、蚊取り線香使用後の網体の取り出しが極めて容易であり、また、構造が簡単で、構成部品数が増加することのない蚊取線香容器を提供することを目的とするものである。
【０００４】
【課題を解決するための手段】
この目的に対応して、この発明の蚊取線香容器は、有底筒状をなし一端が蚊取線香出し入れ用の開口部をなしている容器本体と、通気孔を有し前記容器本体の前記開口部に取り外し可能に取り付けられる蓋体と、共働して蚊取線香を挟持可能な一対の網体を有し前記容器本体内に収容可能な蚊取線香保持部材とを有し、前記容器本体の内周面に前記蚊取線香、保持部材の周辺部分に当接して前記容器本体の内外にわたる前記蚊取線香保持部材の回転変位を許容する支点となる突出部を設けてあることを特徴としている。
【０００５】
【発明の実施の形態】
以下、この発明の詳細を一実施の形態を示す図面について説明する。
図１から図５において、１は蚊取線香容器である。蚊取線香容器１は容器本体２と、蓋体３と、蚊取線香保持部材４と、吊具５とを有している。
容器本体２は底部６と胴部７を持つ有底円筒状をなし、一端が蚊取線香出し入れ用の開口部８をなしている。胴部７には胴壁を接線方向に貫通する吊具取り付け用孔１１が形成されている。容器本体２の一周する内周面１２のうち容器本体２を吊り下げた状態における下側寄りの一部分Ｒ1 の範囲には後述する突出部は設けられていないが、残余部分Ｒ2 の範囲には容器本体２の上半部１４と下半部１５との中間に突出部１３が形成されている。突出部１３は小径の下半部１５と大径の上半部１４との間に段差をなす連続した肩部１６として形成されたものであり、この肩部１６は蚊取線香保持部材４を載置させて保持し得る。
【０００６】
一方容器本体２の内周面１２のうちの一部分すなわちＲ1 の範囲には肩部１６が設けられていなくて、斜面１７が形成されている。斜面１７の両端は肩部１６の両端に接続しており、斜面１７の中央部は底部６に接近し、または接続している。斜面１７の両端が接続している肩部１６の両端は斜面１６に対して急激に曲率が変化して形状の性質が変化しているために突出した状態となっている。この突出した状態の肩部１６の両端は後述する蚊取線香保持部材４の回転変位の支点１９となる部分である。肩部１６はＲ2 の範囲で蚊取線香保持部材４を支持する支持部材として機能するものであって、したがって、蚊取線香保持部材４をＲ2 の範囲で支持する機能をもつ限りは、図示の如く連続して形成してもよく、または間欠的に形成してもよい。また、容器本体２の一周する内周面１２には肩部１６よりも開口部８寄りの位置で間欠的に係止突起１８が設けられている。この係止突起１８は蓋体３を容器本体２に嵌合させた状態のときに、蓋体３を係止して保持するためのものである。
【０００７】
蓋体３は多数の通気孔２１を有し容器本体２の胴部７の内側に取り外し可能に嵌着して開口部８を閉じている。蓋体３の周縁部には間欠的に容器本体２の係止突起１８に対応する位置に係止用切欠部２２が形成されている。この係止用切欠部２２は蓋体３を容器本体２に差し込むときに蓋体３の周縁部を容器本体２の係止突起１８と干渉することなく通過させるためのものである。
【０００８】
蚊取線香保持部材４は、容器本体２内で共働して蚊取線香２３を挟持可能な一対の網体４ａ、４ｂからなっている。網体４ａ、４ｂは同じ構造で、ともに環状のフレーム２４に耐熱性の網部材２５を張設している。蚊取線香保持部材４は容器本体２内において、肩部１６にフレーム２４のうちのＲ2 の範囲が載置または当接することによって、位置決めされて支持され、蓋体３によって挾持されて保持される。このとき、フレーム２４のうち残余のＲ1 の範囲は肩部１６によっては拘束されておらず、フレーム２４の自身の剛性と蓋体３によって位置決めされている。
【０００９】
吊具５は図１、図２、及び図４に示すように、下げ部２６と、吊り部２７ａ、２７ｂとからなっている。下げ部２６は吊具５の上端に位置していて他の支持体（図示せず）に引っ掛けて吊り下げることができる形状をなしている。吊り部２７ａ、２７ｂは容器本体２を懸垂支持する部分で、吊具５の下げ部２６の下端から左右に張り出している。吊り具５は容器本体２の筒壁に形成された取り付け用孔１１を通して容器本体２に差し込まれ、下げ部２６が容器本体２の外側に位置し、吊り部２７ａ、２７ｂが容器本体２の内側に位置し、吊り部２７ａ、２７ｂが容器本体２の胴部７に内側から接して容器本体２を懸垂支持した状態で容器本体２に取り付けられる。吊具５の下げ部２６にはさらに必要に応じて吊り下げ補助具３１が取り付けられる。
【００１０】
このように構成された蚊取線香容器１を使用する場合の操作は次のとおりである。
【００１１】
着火した蚊取線香２３を一対の網体４ａ、４ｂの間に挟み容器本体２内に設置し、蓋体３を容器本体２に嵌合させて開口部８を閉じ、吊具５及び吊り下げ補助具３１を使用して他の支持体（図示せず）に吊り下げて使用する。
【００１２】
蚊取線香使用後に灰を捨てる目的や網体を洗浄するために、網体４ａ、４ｂを容器から取り出す場合には、図６から図８に示すように、まず容器本体２から蓋体３を取り外す。この状態では蚊取線香保持部材４は、フレーム２４のうちのＲ2 の範囲で肩部１６に載置して支持されているが、フレーム２４のうちのＲ1 の範囲では蚊取線香保持部材４は肩部１６に支持されておらず、容器本体２内の空間に浮いた状態となっている。次に蚊取線香保持部材４のフレーム２４のＲ1 の範囲の部分３２を容器本体２の開口部８から手指で底部６に向って押す。これによって、蚊取線香保持部材４は肩部１６の支点１９を中心として回転変位し、支点１９をはさんで押圧した部分３２の反対側の部分３３が開口部８の外に出るので、この部分３３を手指で摘んで蚊取線香保持部材４を容器本体２から取り出すことができる。
【００１３】
【発明の効果】
この発明の蚊取線香容器では、蚊取り線香使用後の網体の取り出しが極めて容易である。しかもこの網体の取り出しのための機構が、従来、蚊取線香保持部材４を支持するために容器本体２の内周面の全周にわたって形成してあった肩部の一部分を除去して支点を構成したものであるので、構造が簡単で、構成部品数が増加することがない。
【図面の簡単な説明】
図１    この発明の蚊取線香容器の一部断面正面図
図２    この発明の蚊取線香容器の上側面図
図３    この発明の蚊取線香容器の下側面図
図４    この発明の蚊取線香容器の断面図
図５    図１におけるＡ−Ａ部断面図
図６    この発明の蚊取線香容器の蓋体をはずした状態の正面図
図７    この発明の蚊取線香容器の蓋体をはずした状態の下側面図
図８    この発明の蚊取線香容器の蓋体をはずした状態の断面図で（ａ）は蚊取線香保持部材を回転させていない状態を示し、（ｂ）は蚊取線香保持部材を回転させた状態を示す。
図９    従来の蚊取線香容器の正面図
図１０  従来の蚊取線香容器の一部断面側面図
【符号の説明】
１      蚊取線香容器
２      容器本体
３      蓋体
４      蚊取線香保持部材
４ａ、４ｂ  網体
５      吊具
６      底部
７      胴部
８      開口部
１１    吊具取り付け用孔
１２    内周面
１３    突出部
１４    上下部
１５    下半部
１６    肩部
１７    斜面
１８    係止突起
１９    支点
２１    通気孔
２２    係止用切欠部
２３    蚊取線香
２４    フレーム
２５    網部材
２６    下げ部
２７ａ、２７ｂ  吊り部
３１    吊り下げ補助具
３２    部分
３３    部分
【図１】
0003730404.tif 000002
【図２】
0003730404.tif 000003
【図３】
0003730404.tif 000004
【図４】
0003730404.tif 000005
【図５】
0003730404.tif 000006
【図６】
0003730404.tif 000007
【図７】
0003730404.tif 000008
【図８】
0003730404.tif 000009
【図９】
0003730404.tif 000010
【図１０】
0003730404.tif 000011